(57)【要約】      （修正有）【課題】給水紐式底潅水栽培を改良して長期的に水遣りの手間を省く多品種植物栽培を可能とするため、混合培養土において根腐れがなく、根腐れを防ぐ構造を持ち、乾燥に対しては地植えと同じように頭上潅水で対応するシステムを提供する。【解決手段】給水紐の形状を幅２０ｃｍ、長さ１３ｃｍ、厚さ１ｍｍのマイクロクロスの布を円柱状として巻いて直径１，５ｃｍとし、同材料の頭部を付けて、てるてる坊主に形成し、水を吸い上げることで培養土底部はＰＦ１，０程度になり、１０ｃｍ吸い上げではＰＦ１，４程度になる。更に底部の水は培養土内を毛細管で吸い上がり底から６ｃｍ−１２ｃｍ程度の培養内ではＰＦ１，０−ＰＦ１，７になる。この位置では、乾燥はない。この上の１２ｃｍ−１８ｃｍの培養土においては乾燥によって水分が減り、萎れることがあるので手動による潅水が必要である。【選択図】図１
2017121226.tif 000002
【特許請求の範囲】
【請求項１】
赤玉土と腐葉土とゼオライトを混合して仮比重０，５として飽和液相３０％となる培養土を使用する植物多品種栽培底潅水システム。
【請求項２】
［請求項１］の培養土を使用し、１８ｃｍを栽培容器高さ限度とするシステムであるが、吸水紐の形状を直径１、５ｃｍと規定して頭上潅水をするとタンク１０ｃｍの吸い上げ距離１ｃｍ−１０ｃｍではＰＦ１，０−ＰＦ１，４になる。更に培養土内を底潅水で水が吸いあげると、６ｃｍ−１２ｃｍの培養土中間部では季節や置く場所によって異なるがＰＦ１，０−ＰＦ１，７に留まる。この根圏環境では根腐れにならず、１２ｃｍ−１８ｃｍの表面の乾燥においては地植えと同じ感覚で手動による頭上潅水を行う植物多品種栽培底潅水システム。
【請求項３】
タンクに水を貯水して栽培するが、底潅水栽培において植物の根が成長して伸び、タンクの水に浸る。根腐れの原因を防止するため給水紐を１，５ｃｍの円柱状の胴体に頭部を付けて、てるてる坊主状に形成し、栽培容器底の吸水紐穴１，５ｃｍから胴体を垂らすことで成長する根は培養土内部に留まり、蓋によって栽培容器底とタンク水を遮断し、根が水抜き穴からタンクに伸びて根腐れになることを防止するため受け皿状の蓋の形状とし水は給水紐隙間から流れ落ちる植物多品種栽培底潅水システム。
【請求項４】
吸水紐に根がらみを防ぐため、てるてる坊主状の頭部に防根透水シートを巻き、胴体の外周にはテープを巻きつける植物多品種栽培底潅水システムの吸水紐
【請求項５】
［請求項１］の培養土を使用する栽培において、植物の根圏環境はＰＦ１，０以上であり、ＰＦ１，０以上の培養土においては根腐れになるかどうかを確認するため、３０種類以上の植物のテスト栽培で良好となる栽培を確認し、特に着生ランの栽培でも良好な栽培が可能であるとした植物多品種栽培底潅水システム。
【発明の詳細な説明】
【技術分野】
【０００１】本発明は底潅水によって盆栽や花栽培を行うシステムに関する。
【背景技術】
【０００２】底潅水栽培では日本においてシクラメンやポインセチアなど過湿に強い植物栽培に応用されているが使われている培養土は吸水性の強いピートモスのような素材が使用されている。これは底潅水という毛細管による水を吸い上げる栽培手段とする方法ゆえである。しかしピートモスは非常に大量の水分を含む資材であり特に重力によって底部の液相は高くなり根が底部に伸びると水分を長く持つこととなり空気は少なくなる。その結果根痛みが生じる結果となり過湿に弱い植物栽培はできない。盆栽や花の栽培では過湿に弱い植物も多く底潅水は根腐れになる栽培であるとされ応用されていない。しかし培養土に孔隙の多い培養土を使用すれば吸水性はなく毛細管の上昇は高くへは昇らないが日本における盆栽のように浅い栽培容器で栽培される手段もあり、利用価値が生じる。よってこの孔隙の多い根腐れにならない培養土で底潅水栽培を試み、システム栽培を行うものである。
【特許文献】
【０００３】
【特許文献１】特願  ２０１３−２１１４１３
【特許文献２】特願  ２０１４−２１１６
【非特許文献１】
【非特許文献１】愛知県農業試験場  鉢花の底面吸水技術  ネット資料
【非特許文献２】鉢花の培養土と養水分管理
【実願文献１】
実願２０１５−１２３６
【発明の開示】
【発明が解決しようとする課題】
【０００４】本発明は孔隙の多い培養土で過湿に弱い品種を含む多品種植物栽培法を底潅水で行う鉢植え栽培システムであり、先に６月２４日登録台１９８６４９として実用新案登録されたものであるが、孔隙の多い培養土を使用するシステムにおける根圏環境の水分保有状態をＰＦ値で調べ、そのＰＦ数値において安全栽培が可能かどうかをテスト栽培によって繰り返し行い栽培が良好な状態が継続することを確かめることが課題であり、栽培システムのテスト栽培において発生する過湿障害を除去する構造を確立し、毛細管が上がらない孔隙の多い培養土でどの程度毛細管栽培ができるかを確認し、乾燥を防ぐ手段を行うことも課題とする。
【課題を解決するための手段】
【０００５】培養土は赤玉土の小粒、腐葉土、ゼオライトを混合し、仮比重０，５とし、飽和液相３０％程度として使用するが、最初十分な量を頭上潅水して、放置すると、やがて底潅水が始まり底部はＰＦ１，０となる。培養土には腐葉土を使用するが、腐葉土は素材の大きさが異なるだけでなく、栽培途中に分解が進んで構造変化を起こしがちである。しかし窒素の含有量がある程度高いので窒素収奪は少なく、落ち葉を十分腐敗させると安定した団粒に変わるのでこれを混合する。毛細管では頭上潅水の機会が少ないため主体となる小粒の赤玉土も団粒構造の変化は少ないので孔隙率が高く、根腐れのない培養土である。給水紐の形状は幅２０ｃｍ、長さ１３ｃｍ、厚さ１ｍｍのマイクロクロスの布を円柱状として直径１，５ｃｍとし、てるてる坊主状に形成し、同質のクロスを頭部として巻き、テルテル坊主状として栽培容器の底からタンク水にぶら下げ、底面積１５×１５平方ｃｍ、に１個とし容積の増加には、吸水紐の本数を増やして比例することで限度なく大きく出来、図１のように栽培容器底を１ｃｍ程度底上げすることで吸い上げ距離を離し、水を吸い上げる。タンクの深さは１０ｃｍと制限するが、満タンから水が枯渇する１ｃｍ−１０ｃｍ程度まで吸いあげると培養土底部はＰＦ１，０からＰＦ１，４程度になる。次にＰＦ１，４の水が培養土内部を６ｃｍ−１２ｃｍ程度へ毛細管で吸いあがるとＰＦ値は１，７程度になる。培養土内部は毛細管によって水が吸いあがるのと重力水の留まりとの表面張力によって水同士が結束するので乾燥の影響は少なく、６ｃｍ−１２ｃｍの培養土内部においてはＰＦ１，０−ＰＦ１，７の数値が継続するので安定した水分保有状態が継続する。次にその上の１８ｃｍと規定する栽培容器では１２ｃｍ−１８ｃｍの培養土に土の高さ６ｃｍのポットを植えればポット苗の根の先端部分は１，７程度のＰＦ値である安定した水が供給できる範囲にあり、正常な栽培が可能であるが培養土内部にはムラがあり、夏場の乾燥が激しい時期、苗が萎れることもあるので、地植えと同じで、潅水頻度を見定め、たっぷりと潅水することが必要となる。しかし、やがて根が伸びて安定した水分状態の６ｃｍ−１２ｃｍに伸び、屋外では雨も降るので、栽培テストではタンクへの水の補充にだけは注意を要することで頭上潅水の機会は少なかった。次に根腐れの原因となるもう一つの原因は根が成長し栽培容器底の水抜き穴を突き抜けてタンクに至り、タンク水に浸ることである。このため図１のように栽培容器底部には多数の水抜き穴は設けず，端に少数の穴を設け、栽培容器底の中央部分を底上げして１，５ｃｍの吸水紐穴を開け、１，５ｃｍの吸水紐胴体を納め、てるてる坊主状の頭部を透水防根シートで覆い、胴体をテープで巻いて底に固定することで根は栽培容器内に留まりタンクに伸びることはない。栽培容器底の端には水抜き穴を端に設けるが、蓋によって水は遮られタンクには根が進入せず、水は蓋に流れ、蓋に開ける２，５ｃｍの吸水紐穴に流れ、給水紐穴の隙間から流れ落ちタンクに貯水する構造とする。
【発明の効果】
【０００６】根圏環境をＰＦ０，１以上として栽培を行うことで植物は根腐れにならず、成長しても根は栽培容器内に留まる構造のシステムとするので根腐れにはならず、乾燥する場合は頭上潅水をたっぷり行うシステム構造とし、頭上潅水によって流れ落ちる水や雨はタンクに流れ、貯水され、乾燥による萎れを防ぐシステムであるが、屋外では雨を貯水するので頭上潅水の機会は少なく、屋内や半日陰では蒸発は少ないので蓋の隙間から行う潅水の機会は非常に少なくて済む多品種植物栽培底潅水システムである。
【発明を実施するための最良の形態】
【０００７】本発明の実施形態について図面を参照して説明する。底潅水栽培の欠点である根腐れとなる原因は２つある。▲１▼は混合培養土の空気が少ない状態を継続して栽培することで、やがて根が弱り根腐れとなる。▲２▼は根が一時的に水に触れることで根腐れになる。よって図１のように４給水紐の太さを１，５ｃｍとし、小粒の赤玉土と腐葉土、ゼオライトを混合して仮比重０，５とする２混合培養土へ十分潅水して、下に置く３タンクに４吸水紐のＣ給水紐胴体を下げて５水を吸い上げるが、３タンクに満タンの水を入れ、１栽培容器底を底上げして１ｃｍ程度の距離を吸い上げると１栽培容器底部培養土はＰＦ１，０程度になり、３タンクの５水が無くなるタンク底部での吸い上げ距離１０ｃｍではＰＦ値は１，４程度となる。２ｃｍ以内で吸い上げ培養土にピートモスを使用するように底には水が停滞しないのは培養土が粗いため、４吸水紐から重力水が下に流れ、水が停滞せず流れ落ちるからである。３０種類程度の多品種による栽培テストにおいて根圏となるＰＦ１，０以上の培養土内では根腐れにはならず、順調な育成が可能であった。特に空気を欲しがる着生ランの栽培でも順調な栽培が可能であり、ＰＦ１，０程度以上の２混合培養土は根腐れにならない水分状態であるといえる。次に根腐れになる原因は成長して根が伸び、１栽培容器の底にある７水抜き穴から根が伸び、下に置く３タンクに浸るというような構造上の問題である。これを防止する為に、図１のように３タンクには６蓋を付け、底上げをして１栽培容器底と３タンク水との距離を離し、４吸水紐の直径と栽培容器の給水紐の穴が同じ径で，隙間がなく給水紐を固定するので、根は底部に留まり、潅水して流れ落ちる水は端に開ける７水抜き穴から６蓋に流れ、蓋の中央に開けるＦ給水紐穴隙間から流れ落ち３タンクに根は進入しない構造とする。この方法によって高さ１８ｃｍ以下とする栽培容器では水遣り調整の要らないＰＦ値１，０−１，７の根圏環境での栽培が可能となる。夏場の乾燥時期、高さ１８ｃｍの栽培容器の表面部分へは毛細管が上がらず表面部分は初期しおれ点より越える場合も有り得るが、年間を通して、そのような機会は少なく、その時は培養土が乾き、植物がしおれるので、手動で培養土表面から、たっぷりと潅水が必要となる。ＰＦ値１，０−１，７の根圏環境では３０種類以上のテスト栽培で根腐れの問題はなかったが、これから種類を増やし栽培を重ねることで根腐れが発生する品種が新たに見つかれば、底上げの距離を離してＰＦ値を上げて対応する。
【図面の簡単な説明】
【０００８】
【図１】図１は本発明実施例におけるシステムの正面透視図であり、タンクに満タンに貯水の状態であって毛細管吸い上げ時の底部培養土ＰＦ値は１，０前後である。
【図２】図２は本発明実施例におけるシステムの正面透視図であり、タンクは減水時であり、底部培養土はＰＦ１，４前後である。
【図３】図３は吸水紐の正面図である。
【符号の説明】
【０００９】図１は、本発明システムの正面からの断面図であって  １  栽培容器、２  混合培養土  ３  タンク、４  給水紐  ５  水  ６  受け皿付蓋  ７  水抜き穴  ８  ＰＦ値測定計  ９  雨  であり  Ａ  マイクロクロス  Ｂ  給水紐頭部  Ｃ  給水紐胴体部  Ｄ  遮根透水シート  Ｅ  結束テープ  Ｆ  吸水紐蓋隙間である。
【図１】
2017121226.tif 000003
【図２】
2017121226.tif 000004
【図３】
2017121226.tif 000005